(57)【要約】【課題】空調設備のオン／オフ、温度設定、空調モード設定機能や照明設備のオン／オフ機能の操作について、ＩＣカードによる認証を用いて管理する入退管理システムを提供する。【解決手段】本発明の入退管理システムは、ビルディング内の区画（００１）に設けられるＩＣカードリーダーライタ１０と、ＩＤナンバーがふられ、ＩＤナンバーをＩＣカードリーダーライタ１０に対して無線通信するＩＣカードと、このＩＣカードリーダーライタと通信回線を介して接続され、ＩＣカードのＩＤナンバーと操作許可対象物との関係を保持する入退管理サーバ６０と有する。【選択図】      図６
2008192095.tif 000002
【特許請求の範囲】
【請求項１】
ビルディング内の区画に設けられるＩＣカードリーダーライタと、
ＩＤナンバーがふられ、ＩＤナンバーを該ＩＣカードリーダーライタに対して無線通信するＩＣカードと、
該ＩＣカードリーダーライタと通信回線を介して接続され、該ＩＣカードのＩＤナンバーと操作許可対象物との関係を保持する入退管理サーバと、
からなることを特徴とする入退管理システム。
【請求項２】
該操作許可対象物はビルディング内の区画のドアの電気錠であることを特徴とする請求項１に記載の入退管理システム。
【請求項３】
該操作許可対象物は空調機器であることを特徴とする請求項１又は請求項２に記載の入退管理システム。
【請求項４】
該操作許可対象物は照明機器であることを特徴とする請求項１乃至請求項３のいずれかに記載の入退管理システム。
【発明の詳細な説明】
【技術分野】
【０００１】
本発明は、空調設備のＯＮ／ＯＦＦ、温度設定、空調モード設定機能や照明設備のＯＮ／ＯＦＦ操作機能の操作について、ＩＣカードによる認証を用いて管理する入退管理システムに関する。
【背景技術】
【０００２】
通常、オフィスの執務スペースや会議室では、空調操作パネルや照明スイッチなどが壁面に設置され、各々独立したユーザーインターフェイスとなっている。これら空調操作パネルや照明スイッチの操作については、通常誰でも自由に操作できる。
【０００３】
例えば、特許文献１（特開２００４−１５０６６７号公報）には空調の操作や照明スイッチの操作をネットワーク上から行うようにするために、空調機や照明設備等の設備機器の運転を制御する設備管理装置であって、各設備機器を運転操作するための操作画面のデータを記載したホームページを記憶し、Ｗｅｂブラウザ機能を有する操作端末からの所望の設備機器の運転要求に基づき、上記ホームページに記載された上記所望の設備機器を運転操作するための操作画面のデータを上記操作端末に送信し、上記操作端末からの上記操作画面による設定要求に基づき上記所望の設備機器の運転を制御することを特徴とする設備管理装置が記載されている。
【特許文献１】特開２００４−１５０６６７号公報
【発明の開示】
【発明が解決しようとする課題】
【０００４】
ところが、特許文献１に記載されているような形態で、空調の操作や照明の操作を誰でも自由に行うことができるようにしてしまうと、不適切な設定・起動／停止操作について把握することができないため、トラブルの原因となることがある、という問題があった。
【０００５】
一方、近年、入退管理システムでは、重要施設の出入口にカードリーダーを設置し、電気錠の施錠・解錠制御を行っている。このようなシステムでは、カードには非接触型のものが用いられており、コストをかけている割には、機能としては上記のように電気錠の施錠・解錠制御のみというのが現状である。このような入退管理システムにより多くの機能を付与する必要性がある、という問題も存在している。
【課題を解決するための手段】
【０００６】
この発明は、上記のような種々の課題を解決するものであって、請求項１に係る発明は、ビルディング内の区画に設けられるＩＣカードリーダーライタと、ＩＤナンバーがふられ、ＩＤナンバーを該ＩＣカードリーダーライタに対して無線通信するＩＣカードと、該ＩＣカードリーダーライタと通信回線を介して接続され、該ＩＣカードのＩＤナンバーと操作許可対象物との関係を保持する入退管理サーバと、からなることを特徴とする。
【０００７】
また、請求項２に係る発明は、請求項１に記載の入退管理システムにおいて、該操作許可対象物はビルディング内の区画のドアの電気錠であることを特徴とする。
【０００８】
また、請求項３に係る発明は、請求項１又は請求項２に記載の入退管理システムにおいて、該操作許可対象物は空調機器であることを特徴とする。
【０００９】
また、請求項４に係る発明は、請求項１乃至請求項３のいずれかに記載の入退管理システムにおいて、該操作許可対象物は照明機器であることを特徴とする。
【発明の効果】
【００１０】
本発明の入退管理システムによれば、空調設備のＯＮ／ＯＦＦ、温度設定、空調モード設定機能や照明設備のＯＮ／ＯＦＦ機能の操作について、ＩＣカードによる認証を用いて管理する。これにより、操作できる人物やグループを制限でき操作履歴を残すことにより、トラブル抑止効果が期待できる。さらに、ＩＣカードへ個人の操作履歴を記録することにより、履歴上の設定温度や運転モードを読み取り、次の運転操作時に初期設定値として利用することができる。
【発明を実施するための最良の形態】
【００１１】
以下、本発明の実施の形態を図面を参照しつつ説明する。図1は、本発明の実施の形態に係る入退管理システムに用いる多機能型ＩＣカードリーダーライタの外観を示す図であり、図２は、本発明の実施の形態に係る入退管理システムに用いる多機能型ＩＣカードリーダーライタのブロック構成を示す図である。このような多機能型ＩＣカードリーダーライタは、本実施形態のシステムがビルディング内の各室の室内外に設置されることが想定されている。
【００１２】
図１及び図２において、１０は多機能型ＩＣカードリーダーライタ、１１はシステムバス、１２はＣＰＵ、１３はＲＡＭ、１４はＲＯＭ、１５はリーダーライタ制御部、１６はリーダーライタ部、１７は表示パネル制御部、１８は表示パネル、１９は認証表示灯制御部、２０は認証表示灯、２１は音声制御部、２２はスピーカ、２３は入力制御部、２４はテンキー、２６は通信制御部をそれぞれ示している。
【００１３】
多機能型ＩＣカードリーダーライタ１０の動作は、ＣＰＵ２１が、システムバス１１を介して接続されるＲＯＭ２３に記憶されたシステムプログラムに基づいて、ＣＰＵ２１が、各制御部と協働することによって動作するものである。また、ＲＡＭ１３は前記システムプログラムが動作する際の一時的な記憶手段として機能する。  多機能型ＩＣカードリーダーライタ１０は、解析機器による多機能型ＩＣカードリーダーライタ１０内の解析や不正な分解に対する耐タンパー性を有している。
【００１４】
図２において、多機能型ＩＣカードリーダーライタ１０の主制御は、ＲＯＭ１４に格納されているシステムプログラム及びＲＡＭ１３に格納されているワーキングデータを用いてＣＰＵ（中央処理部）１２が行う。
【００１５】
ＣＰＵ１２には、システムバス１１を介して、表示パネル１８を駆動する表示パネル制御部１７、認証表示灯２０を駆動する認証表示灯制御部１９、スピーカ２２を駆動する音声制御部２１、テンキー２４からの入力を処理する入力制御部２３が接続されている。
【００１６】
表示パネル１８には、図１に示されるように、空調機器の動作状況や照明機器の動作状況などが表示される。なお、空調機器や照明機器と多機能型ＩＣカードリーダーライタ１０との関連については後述する。
【００１７】
認証表示灯２０は、多機能型ＩＣカードリーダーライタ１０によって行われた空調機器や照明機器の設定変更を是認したか否かが表示される。また、スピーカ２２は、ＩＣカードがリーダーライタ部１６にかざされて、ＩＣカードとの無線通信が成功したときに「ピピッ」などの電子音を発生するように構成されている。
【００１８】
テンキー２４は、例えばＩＣカード破損時、暗証番号を入力するための数字キーとして用いたり、或いは、空調機器の設定変更操作や、照明機器の設定変更操作のための入力キーとして用いたりするものである。図１に示されるように、テンキー２４の「１」のキーの右上に示される「ＯＮ」などの表記は、空調機器の操作のための入力キーにおける意味を表している。
【００１９】
多機能型ＩＣカードリーダーライタ１０は、図示するように通信制御部２６を介して通信回線に接続されており、後述する中央監視装置などと協働することによって、ビルディング内の各室の電気錠の解錠・施錠制御、空調機器や照明機器の設定変更操作などに利用される。
【００２０】
ＩＣカードとの通信手段として機能するリーダーライタ１６は、ＩＣカードとの間で無線通信を行う不図示のアンテナを備えている。このリーダーライタ１６は、ＣＰＵ１２による制御に基づいて、アンテナの交信エリア内にかざされたＩＣカードと交信し、ＩＣカードのカードＩＤに係るデータを読み取るとともに、必要に応じてＩＣカードに対して、所定の情報の書き込みを行う。
【００２１】
次に、発明の実施の形態に係る入退管理システムに用いるＩＣカードについて説明する。図３は、本発明の実施の形態に係る入退管理システムに用いるＩＣカードのブロック構成を示す図である。図３において、１００はＩＣカード、１０２はカードＩＤデータ記憶部、１０３乃至１０５はその他のデータ記憶部、１１１はアンテナ部、１１２は電力生成部、１１３は通信制御部、１１４はＩ／Ｏユニット、１１５はＣＰＵ、１１６はメモリをそれぞれ示している。
【００２２】
ＩＣカード１００は、無線通信機能を有してなり、他の情報機器との間で情報の送受を行うことができる非接触型ＩＣカードである。すなわち、このＩＣカード１００には、アンテナ部１１１と、多機能型ＩＣカードリーダーライタ１０のリーダーライタ１６と通信（交信）するための通信制御部１１３と、その通信制御部１１３とＩ／Ｏユニット１１４を介して接続されているＣＰＵ１１５と、システムプログラムデータの他に所定のカードデータの記憶されているメモリ１１６と、多機能型ＩＣカードリーダーライタ１０からの電力波をアンテナ部１１１を介して受信し、ＩＣカード１００の駆動電力を生成する電力生成部１１２とを有している。
【００２３】
上記のメモリ１１６は、ＩＣカード１００自体の識別情報を記憶保持するカードＩＤデータ記憶部１０２や、その他の情報を記憶保持するその他のデータ記憶部１０３乃至１０５などを有している。このその他のデータ記憶部１０３乃至１０５は３つに限定されるものではなく、必要に応じて設ければよい必要数設ければよい。ＩＣカード１００のカードＩＤデータと対応するデータは、本実施形態においては後述するサーバに記憶するように構成したが、その他のデータ記憶部１０３乃至１０５にこれを記憶するように構成しても良い。
【００２４】
次に、本発明の実施の形態に係る入退管理システムの全体構成について説明する。図4は、本発明の実施の形態に係る入退管理システムの全体構成を示す図である。なお、本実施形態においては、分散型のシステム構成に基づいて説明するが、本発明は、従来の集中型のシステムに適用することもできるものである。
【００２５】
図４において、１０は多機能型ＩＣカードリーダーライタ、５０は中央監視装置、６０は入退管理サーバ、７０は空調設備用コントローラ、８０は照明設備用コントローラをそれぞれ示している。なお、図４においては、多機能型ＩＣカードリーダーライタ１０については例示的に２つのみ示したが、当該ＩＣカードリーダーライタはビルの管理において必要な数設けるものである。
【００２６】
中央監視装置５０は、ビルディングの管理全体の制御を司るものであり、ビルディングの監視要員等のオペレータにより操作されることが想定されている。本発明の入退管理システム以外のその他の制御も行う。この中央監視装置５０は、ＣＰＵ、ＲＯＭ、ＲＡＭ、ハードディスクドライブ、ネットワークインターフェイス、ディスプレイ、キーボード、マウス等から構成される周知のコンピュータシステムである。
【００２７】
入退管理サーバ６０は、中央監視装置５０と通信回線１０で接続されており、中央監視装置５０の業務を補完してシステム全体を、本発明の入退管理システムとして機能させるためのコンピュータとして動作させるものである。詳細な動作については後述する。
【００２８】
空調設備用コントローラ７０は、ビルディング内に接地された複数の空調機器に対して発停、温度設定、運転モード設定等の制御指令を発するコントローラであり、中央監視装置５０における空調設備システムを構成するためのものである。照明設備用コントローラ８０は、ビルディング内に接地された複数の照明機器に対して、点灯、消灯等の制御指令を発するコントローラであり、中央監視装置５０における照明設備システムを構成するためのものである。なお、中央監視装置５０は、これらのシステムの他に、受配電システム、防災システム等をコントロールするように構成してもよい。
【００２９】
通信回線は、中央監視装置５０、入退管理サーバ６０、空調設備用コントローラ７０、照明設備用コントローラ８０、多機能型ＩＣカードリーダーライタ１０同士を接続して、それぞれの間でデータ通信を行えるようにするものである。
【００３０】
次に、入退管理サーバ６０が記憶するＩＣカードのＩＤデータベースの構造について説明する。図５は、本発明の実施の形態に係る入退管理システムにおける入退管理サーバ６０が記憶するＩＣカードのＩＤデータベースの構造を示す図である。図５に示すように、入退管理サーバ６０が記憶するＩＣカードのＩＤデータベースには、「カードＩＤ」、「入退許可区画ＩＤ」、「調整許可空調機器Ｎｏ．」、「調整許可照明機器Ｎｏ．」が対応付けられて記憶される。
【００３１】
カードＩＤは、ＩＣカードのカードＩＤデータ記憶部１０２に記憶されているＩＤ番号であり、入退許可区画ＩＤは、当該ＩＤ番号がふられたＩＣカードが施錠・解錠することを許可される区画番号であり、調整許可空調機器Ｎｏ．は、当該ＩＤ番号がふられたＩＣカードが操作することを許可される空調機器の番号であり、調整許可照明機器Ｎｏ．は、当該ＩＤ番号がふられたＩＣカードが操作することを許可される照明機器の番号である。
【００３２】
次に、以上のように構成される本発明の実施の形態に係る入退管理システムの動作について説明する。図６は、本発明の実施の形態に係る入退管理システムが設けられた一区画を示す図である。図６は、区画ＩＤとして００１が付たれた居室空間（区画）について例示するものであり、また、当該区画には、空調機器Ｎｏ．Ａ１０１が付された空調機器と、照明機器Ｎｏ．Ｅ１０１及びＥ１０２が付された照明機器が設けられているものとする。また、図６において、９０はドア、９１は電気錠をそれぞれ示している。
【００３３】
区画ＩＤ００１の居室空間内外のドア付近には、多機能型ＩＣカードリーダーライタ１０ａ、１０ｂがそれぞれ設けられている。これらの多機能型ＩＣカードリーダーライタ１０ａ、１０ｂは、図示するように通信回線で、入退管理サーバ６０、中央監視装置５０、空調設備用コントローラ７０、照明設備用コントローラ８０と通信可能に接続される。また、空調設備用コントローラ７０は空調機器Ａ１０１を、また、照明設備用コントローラ８０は照明機器Ｅ１０１及びＥ１０２をそれぞれ制御することができるようになっている。
【００３４】
本発明の実施の形態に係る入退管理システムにおいては、各設備機器への制御指令は、多機能型ＩＣカードリーダーライタ１０を介して行うように構成されている。例えば、電気錠の施錠・解錠制御についてみてみる。ＩＣカード１００を多機能型ＩＣカードリーダーライタ１０のリーダーライタ部１６にかざすことによって、入退管理システムはＩＣカード１００のカードＩＤ記憶部１０２からカードＩＤを読み取り、これを入退管理サーバ６０に送信する。
【００３５】
これらの情報を受信した入退管理サーバ６０は、図５に示すカードＩＤデータベースを参照して、かざされたＩＣカード１００のカードＩＤが、多機能型ＩＣカードリーダーライタ１０が設置されている居室空間（区画）の入退許可区画ＩＤの対象カードＩＤであるかどうかをチェックする。この結果、当該カードＩＤが対象カードＩＤであれば、承認する旨の情報を入退管理サーバ６０から多機能型ＩＣカードリーダーライタ１０に送信して、ドア９０の電気錠９１の施錠・解錠を行うと共に、認証表示灯２０においてＯＫのランプを点灯させ、スピーカ２２から確認音等を出力する。当該カードＩＤが対象カードＩＤでなければ、非承認の旨の情報を入退管理サーバ６０から多機能型ＩＣカードリーダーライタ１０に送信して、施錠・解錠は行わず、認証表示灯２０においてＮＧのランプを点灯させ、スピーカ２２から非承認を印象づけるような音を発するようにする。
【００３６】
次に、空調機器の制御についてみてみる。ＩＣカード１００を多機能型ＩＣカードリーダーライタ１０のリーダーライタ部１６にかざし、さらに図７に示すキー入力−機器制御対応表に基づいて操作者が操作したとする。例えば、ＩＣカード１００をリーダーライタ部１６にかざし、キー１の操作を行うとする。すると、多機能型ＩＣカードリーダーライタ１０から「空調機器Ｎｏ．Ａ１０１の起動」という制御命令が、入退管理サーバ６０に対して送信される。
【００３７】
この情報を受信した入退管理サーバ６０は、図５に示すカードＩＤデータベースを参照して、かざされたＩＣカード１００のカードＩＤが、多機能型ＩＣカードリーダーライタ１０が設置されている調整許可空調機器Ｎｏ．の対象カードＩＤであるかどうかをチェックする。この結果、当該カードＩＤが調整許可対象カードＩＤであれば、承認する旨の情報が中央監視装置５０に送信される。中央監視装置５０からは空調設備用コントローラ７０に「空調機器Ｎｏ．Ａ１０１の起動」という制御命令が送信され、空調設備用コントローラ７０が空調機器Ｎｏ．Ａ１０１の起動制御を行う。また、入退管理サーバ６０は、承認する旨の情報を多機能型ＩＣカードリーダーライタ１０に対して送信し、多機能型ＩＣカードリーダーライタ１０の認証表示灯２０においてＯＫのランプを点灯させ、スピーカ２２から確認音等を出力する。
【００３８】
チェックの結果、当該カードＩＤが調整許可対象カードＩＤでなければ、非承認の旨の情報を入退管理サーバ６０から多機能型ＩＣカードリーダーライタ１０に送信して、認証表示灯２０においてＮＧのランプを点灯させ、スピーカ２２から非承認を印象づけるような音を発するようにする。
【００３９】
次に、照明機器の制御についてみてみる。ＩＣカード１００を多機能型ＩＣカードリーダーライタ１０のリーダーライタ部１６にかざし、さらに図７に示すキー入力−機器制御対応表に基づいて操作者が操作を行う。多機能型ＩＣカードリーダーライタ１０では、オンオフする対象の照明機器をキー入力等で指定する。例えば、対象照明機器として「Ｅ１０１」を指定し、ＩＣカード１００をリーダーライタ部１６にかざし、キー７の操作を行うとする。すると、多機能型ＩＣカードリーダーライタ１０から「照明機器Ｎｏ．Ｅ１０１のオン」という制御命令が、入退管理サーバ６０に対して送信される。
【００４０】
この情報を受信した入退管理サーバ６０は、図５に示すカードＩＤデータベースを参照して、かざされたＩＣカード１００のカードＩＤが、多機能型ＩＣカードリーダーライタ１０が設置されている調整許可照明機器Ｎｏ．の対象カードＩＤであるかどうかをチェックする。この結果、当該カードＩＤが調整許可対象カードＩＤであれば、承認する旨の情報が中央監視装置５０に送信される。中央監視装置５０からは照明設備用コントローラ８０に「照明機器Ｎｏ．Ｅ１０１のオン」という制御命令が送信され、照明設備用コントローラ８０が照明機器Ｎｏ．Ｅ１０１のオンを行う。また、入退管理サーバ６０は、承認する旨の情報を多機能型ＩＣカードリーダーライタ１０に対して送信し、多機能型ＩＣカードリーダーライタ１０の認証表示灯２０においてＯＫのランプを点灯させ、スピーカ２２から確認音等を出力する。
【００４１】
チェックの結果、当該カードＩＤが調整許可対象カードＩＤでなければ、非承認の旨の情報を入退管理サーバ６０から多機能型ＩＣカードリーダーライタ１０に送信して、認証表示灯２０においてＮＧのランプを点灯させ、スピーカ２２から非承認を印象づけるような音を発するようにする。
【００４２】
以上のように、本発明の入退管理システムによれば、空調設備のオン／オフ、温度設定、空調モード設定機能や照明設備のオン／オフ機能を搭載し、全ての操作について、ＩＣカードによる認証を用いて管理する。これにより、操作できる人物やグループを制限でき操作履歴を残すことにより、トラブル抑止効果が期待できる。さらに、ＩＣカードへ個人の操作履歴を記録することにより、履歴上の設定温度や運転モードを読み取り、次の運転操作時に初期設定値として利用することができる。
【図面の簡単な説明】
【００４３】
【図１】本発明の実施の形態に係る入退管理システムに用いる多機能型ＩＣカードリーダーライタの外観を示す図である。
【図２】本発明の実施の形態に係る入退管理システムに用いる多機能型ＩＣカードリーダーライタのブロック構成を示す図である。
【図３】本発明の実施の形態に係る入退管理システムに用いるＩＣカードのブロック構成を示す図である。
【図４】本発明の実施の形態に係る入退管理システムの全体構成を示す図である。
【図５】本発明の実施の形態に係る入退管理システムにおける入退管理サーバ６０が記憶するＩＣカードのＩＤデータベースの構造を示す図である。
【図６】本発明の実施の形態に係る入退管理システムが設けられた一区画を示す図である。
【図７】本発明の実施の形態に係る入退管理システムのキー入力−機器制御対応表を示す図である。
【符号の説明】
【００４４】
１０・・・多機能型ＩＣカードリーダーライタ、１１・・・システムバス、１２・・・ＣＰＵ、１３・・・ＲＡＭ、１４・・・ＲＯＭ、１５・・・リーダーライタ制御部、１６・・・リーダーライタ部、１７・・・表示パネル制御部、１８・・・表示パネル、１９・・・認証表示灯制御部、２０・・・認証表示灯、２１・・・音声制御部、２２・・・スピーカ、２３・・・入力制御部、２４・・・テンキー、２６・・・通信制御部、５０・・・中央監視装置、６０・・・入退管理サーバ、７０・・・空調設備用コントローラ、８０・・・照明設備用コントローラ、９０・・・ドア、９１・・・電気錠、１００・・・ＩＣカード、１０２・・・カードＩＤデータ記憶部、１０３乃至１０５・・・その他のデータ記憶部、１１１・・・アンテナ部、１１２・・・電力生成部、１１３・・・通信制御部、１１４・・・Ｉ／Ｏユニット、１１５・・・ＣＰＵ、１１６・・・メモリ
【図１】
2008192095.tif 000003
【図２】
2008192095.tif 000004
【図３】
2008192095.tif 000005
【図４】
2008192095.tif 000006
【図５】
2008192095.tif 000007
【図６】
2008192095.tif 000008
【図７】
2008192095.tif 000009